【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
フライアッシュを含有する空気連行セメント質混合物を生成する方法であって、水、セメント、フライアッシュ、および空気連行剤を含むセメント質混合物を作成するステップと、混合物に空気を連行するステップとを含み、犠牲剤もセメント質混合物に含まれており、犠牲剤は、前記空気連行剤の空気連行活性に対する前記フライアッシュの成分の有害な影響を中和し、かつセメント質混合物中に２体積％未満の追加の空気連行を引き起こすのに少なくとも十分な量で提供される物質または物質の混合物である、方法。
【請求項２】
空気連行剤を含有するセメント質混合物に使用するためのフライアッシュを予備処理する方法であって、
予備処理フライアッシュを作成するために犠牲剤をフライアッシュと混合するステップを含み、前記犠牲剤は、前記予備処理フライアッシュを、セメント、前記空気連行剤および水と混合してセメント質混合物を形成する時に、空気連行剤の空気連行活性に対する前記フライアッシュの成分の有害な影響を中和するのに少なくとも十分な量で提供される物質または物質の混合物であり、前記犠牲剤自体は前記セメント質混合物中に２体積％未満の空気連行を引き起こす、方法。
【請求項３】
空気連行剤を含有するセメント質混合物の成分としての使用に適切なフライアッシュ組成物であって、前記組成物がフライアッシュおよび犠牲剤を含み、犠牲剤は、前記組成物を、セメント、前記空気連行剤および水と混合して、セメント質混合物を形成する時に、空気連行剤の空気連行活性に対する前記フライアッシュの成分の有害な影響を中和し、かつそれ自体は前記セメント質混合物中に２体積％未満の空気連行を引き起こすのに少なくとも十分な量で提供される物質または物質の混合物である、フライアッシュ組成物。
【請求項４】
空気、水、セメント、フライアッシュ、空気連行剤および犠牲剤を含有する空気連行セメント質混合物であって、前記犠牲剤が、前記空気連行剤の空気連行活性に対する前記フライアッシュの成分の有害な影響を中和し、かつセメント質混合物中に２体積％未満の追加の空気連行を引き起こすのに十分な量で提供される物質または物質の混合物である、空気連行セメント質混合物。
【請求項５】
前記フライアッシュは、前記成分を、前記フライアッシュの供給源またはバッチに従い最小含有率から最大含有率までの種々の含有率で有することができ、かつ前記フライアッシュの前記成分が前記最大含有率で存在する場合に、前記少なくとも１つの犠牲剤の前記量は、前記成分の前記有害な影響を中和するのに必要な量を超える、請求項１乃至４のいずれか１項に記載の方法、組成物または混合物。
【請求項６】
前記犠牲剤がベンジルアミン、１−ナフトエ酸ナトリウム、２−ナフタレンスルホン酸ナトリウム、ジイソプロピルナフタレンスルホン酸ナトリウム、クメンスルホン酸ナトリウム、ジブチルナフタレンスルホン酸ナトリウム、エチレングリコールフェニルエーテル、エチレングリコールメチルエーテル、ブトキシエタノール、ジエチレングリコールブチルエーテル、ジプロピレングリコールメチルエーテル、１−フェニル２−プロピレングリコールおよびその組合せからなる群より選択される、請求項１乃至４のいずれか１項に記載の方法、組成物または混合物。
【請求項７】
前記犠牲剤が−３〜＋２の範囲のＬｏｇＫｏｗの値を有する、請求項１乃至４のいずれか１項に記載の方法、組成物または混合物。
【請求項８】
前記犠牲剤が−２〜＋２の範囲のＬｏｇＫｏｗの値を有する、請求項１乃至４のいずれか１項に記載の方法、組成物または混合物。
【請求項９】
前記犠牲剤が５〜２０の範囲のＨＬＢ値を有する、請求項１乃至４のいずれか１項に記載の方法、組成物または混合物。
【請求項１０】
前記犠牲剤が４〜１８の範囲のＨＬＢ値を有する、請求項１乃至４のいずれか１項に記載の方法、組成物または混合物。
【請求項１１】
前記犠牲剤が５〜２０の前記範囲のＨＬＢ値を有する犠牲剤を共に提供する、異なるＨＬＢ値の化合物の混合物である、請求項１乃至４のいずれか１項に記載の方法、組成物または混合物。
【請求項１２】
前記犠牲剤が、ｎ−プロパノール、ｉ−プロパノール、１−ブタノール、２−ブタノール、第３ブタノール、１−ペンタノール、３−ペンタノール、ネオペンタノール、ヘキサノール、ベンジルアルコールおよびフェニルエチルアルコールからなる群より選択されるアルコールである、請求項１乃至４のいずれか１項に記載の方法、組成物または混合物。
【請求項１３】
前記犠牲剤が、エチレングリコールメチルエーテル、エチレングリコールエチルエーテル、エチレングリコールｎ−プロピルエーテル、エチレングリコールｎ−ブチルエーテル、エチレングリコールイソブチルエーテル、プロピレングリコールフェニルエーテル、ジプロピレングリコールモノメチルエーテル、ジエチレングリコールブチルエーテル、エチレングリコールジメチルエーテルおよびｐ−ジメトキシベンゼンから選択されるエーテルである、請求項１乃至４のいずれか１項に記載の方法、組成物または混合物。
【請求項１４】
前記犠牲剤が、オクタン酸メチル、ラウリン酸メチル、パルミチン酸メチル、オレイン酸メチル、エチレングリコールモノ−エチルエーテルアセテート、プロピオン酸エチル、酪酸エチル、カプロン酸エチルおよびＰＯＥ（２０）ソルビタンモノラウラートからなる群より選択されるエステルである、請求項１乃至４のいずれか１項に記載の方法、組成物または混合物。
【請求項１５】
前記犠牲剤が、ヘキサン酸、フェニル酢酸、２−ナフトエ酸およびそれらの塩からなる群より選択されるカルボン酸又は塩である、請求項１乃至４のいずれか１項に記載の方法、組成物または混合物。
【請求項１６】
前記犠牲剤が、４−エチルベンゼンスルホネート、２−ナフタレンスルホネート、ｐ−トルェンスルホネートおよびメチルナフタレンスルホネートからなる群より選択される芳香族スルホネートである、請求項１乃至４のいずれか１項に記載の方法、組成物または混合物。
【請求項１７】
前記犠牲剤が、トリエチルアミン、ｎ−ブチルアミン、アニリンおよびベンジルアミンからなる群より選択されるアミンである、請求項１乃至４のいずれか１項に記載の方法、組成物または混合物。
【請求項１８】
前記犠牲剤が、２−（２−アミノエトキシ）エタノール、ジイソプロパノールアミンおよびトリイソプロパノールアミンからなる群より選択されるアルコールアミンである、請求項１乃至４のいずれか１項に記載の方法、組成物または混合物。
【請求項１９】
前記犠牲剤が、尿素、ジメチル尿素およびｎ−ブチル尿素からなる群より選択されるアミドである、請求項１乃至４のいずれか１項に記載の方法、組成物または混合物。
【請求項２０】
前記犠牲剤が、テトラプロピルアンモニウムヒドロキシドおよびテトラブチルアンモニウムクロリドからなる群より選択されるアンモニウム塩である、請求項１乃至４のいずれか１項に記載の方法、組成物または混合物。
【請求項２１】
前記犠牲剤が、トリプロピレングリコール、ポリプロピレングリコール４２５およびＰ（ＥＧ−ｒａｎ−プロピレン−グリコール）２５００からなる群より選択されるポリグリコールである、請求項１乃至４のいずれか１項に記載の方法、組成物または混合物。
【請求項２２】
前記犠牲剤が、２−ブタノン、メチルイソブチルケトン、ブチルアルデヒド、１−エチルー２−ピロリジノンおよびｎ−ビニルー２−ピロリジノンからなる群より選択される化合物である、請求項１乃至４のいずれか１項に記載の方法、組成物または混合物。
【請求項２３】
前記犠牲剤は、１以上の第２のプロトコルランキングを有する化合物である、請求項１乃至４のいずれか１項に記載の方法、組成物または混合物。
【請求項２４】
前記犠牲剤は、エチレングリコールフェニルエーテルとジイソプロピルナフタレンスルホン酸ナトリウムとの組合せである、請求項１乃至４のいずれか１項に記載の方法、組成物または混合物。
【請求項２５】
前記犠牲剤が、前記混合物中で使用されるときに、それ自体は実質的に空気連行を引き起こさない物質または物質の混合物である、請求項１乃至４のいずれか１項に記載の方法、組成物または混合物。
【請求項２６】
前記空気連行剤をフライアッシュ、セメントおよび水と混合する前に、前記犠牲剤が前記空気連行剤に添加される、請求項１に記載の方法。
【請求項２７】
前記フライアッシュを前記セメント、水および前記空気連行剤と混合する前に、前記犠牲剤がフライアッシュに添加される、請求項１に記載の方法。
【請求項２８】
フライアッシュ、セメント、水および空気連行剤が共に混合された後に、前記犠牲剤が添加される、請求項１に記載の方法。
【請求項２９】
犠牲剤の前記量が前記フライアッシュの少なくとも０．１重量％である、請求項１乃至４のいずれか１項に記載の方法、組成物または混合物。
【請求項３０】
犠牲剤の前記量が前記フライアッシュの０．１〜２．０重量％の範囲にある、請求項１乃至４のいずれか１項に記載の方法、組成物または混合物。
【請求項３１】
犠牲剤が２つ以上の物質の混合物であり、前記セメント質混合物中で犠牲剤として単独で使用される場合、前記物質の１つが前記セメント質混合物中の空気連行を減少させ、前記物質のうちもう１つが前記セメント質混合物中の空気連行を増加させ、前記犠牲剤自体がセメント質混合物中の空気連行を増加または減少させるのを回避するのに有効な相対量で、前記物質が一緒に使用される、請求項１乃至４のいずれか１項に記載の方法、組成物または混合物。
【請求項３２】
請求項１に記載の方法によって生成された空気連行セメント質混合物。
【請求項３３】
請求項２に記載の方法により生成された、予備処理フライアッシュを含む空気連行セメント質混合物。
【請求項３４】
請求項４、３２又は３３のいずれか１項に記載の空気連行セメント質混合物を凝結および硬化することによって生成された、セメント質物質の硬化塊。